(57)【要約】【課題】織機の情報表示装置の入力履歴を特定の事項、特に、入力者、布ロール、停台原因に関連する情報により抽出できるようにする。【解決手段】入力装置（２）と、織機（９）に関するデータの入力履歴を記憶するメモリ（６）を備えメモリ（６）内の所定のデータを抽出する表示制御装置（３）と、表示制御装置（３）により抽出された所定のデータを表示する表示装置（４）とからなる織機の情報表示装置（１０）において、入力者が入力装置（２）から入力者の情報の入力を行い、織機のデータの入力履歴を前記入力者の情報と対にしてメモリ（６）に記憶され、その後に、特定の入力者の情報を指定することによって、特定の入力者に対応した入力履歴をメモリ（６）から抽出し、表示装置（４）により表示する。【選択図】      図１
2004339626.tif 000002
【特許請求の範囲】
【請求項１】
入力装置（２）と、織機（９）に関するデータの入力履歴を記憶するメモリ（６）を備えメモリ（６）内の所定のデータを抽出する表示制御装置（３）と、表示制御装置（３）により抽出された所定のデータを表示する表示装置（４）とからなる織機の情報表示装置（１）において、
入力者が入力装置（２）から入力者の情報の入力を行い、織機のデータの入力履歴と前記入力者の情報とが対にしてメモリ（６）に記憶され、その後に、特定の入力者の情報を指定することによって、特定の入力者に対応した入力履歴をメモリ（６）から抽出し、表示装置（４）により表示することを特徴とする織機データの入力履歴表示方法。
【請求項２】
入力装置（２）と、織機（９）に関するデータの入力履歴を記憶するメモリ（６）を備えメモリ（６）内の所定のデータを抽出する表示制御装置（３）と、表示制御装置（３）により抽出された所定のデータを表示する表示装置（４）とからなる織機の情報表示装置（１）において、
入力者が入力装置（２）から布ロールの情報の入力を行い、織機のデータの入力履歴と前記布ロールの情報とが対にしてメモリ（６）に記憶され、その後に、切卸しされた布ロールを指定することによって、切卸しされた布ロールに対応した入力履歴をメモリ（６）から抽出し、表示装置（４）により表示することを特徴とする織機データの入力履歴表示方法。
【請求項３】
入力装置（２）と、織機（９）に関する織機データの入力履を記憶するメモリ（６）を備えメモリ（６）内の所定のデータを抽出する表示制御装置（３）と、表示制御装置（３）により抽出された所定のデータを表示する表示装置（４）とからなる織機の情報表示装置（１）において、
織機（９）の製織中に停台原因の情報と織機データの入力履歴とが対にしてメモリ（６）に記憶され、その後に、停台原因を指定することによって、指定された停台原因に対応した入力履歴をメモリ（６）から抽出し、表示装置（４）により指定された以前の複数の入力履歴を表示することを特徴とする織機データの入力履歴表示方法。
【請求項４】
入力者の情報とは、製織分野における職種、入力者名、シフト（交替）番号を含むことを特徴とする請求項１記載の織機データの入力履歴表示方法。
【請求項５】
切卸しされた布ロールに関連した情報とは、切卸し時刻、織上長を含むことを特徴とする請求項２記載の織機データの入力履歴表示方法。
【請求項６】
入力履歴の表示数を設定変更可能とすることを特徴とする請求項１、請求項２、または請求項３記載の織機データの入力履歴表示方法。
【請求項７】
表示画面上で抽出した入力履歴毎に個別表示とすることを特徴とする請求項１、請求項２、請求項３、請求項４、請求項５または請求項６記載の織機データの入力履歴表示方法。
【請求項８】
表示画面上で複数の抽出条件の入力履歴を一覧表示とすることを特徴とする請求項１、請求項２、請求項３、請求項４、請求項５または請求項６記載の織機データの入力履歴表示方法。
【請求項９】
入力者は、自己の入力者レベル以下の入力履歴を表示可能とすることを特徴とする請求項１または請求項４記載の織機データの入力履歴表示方法。
【発明の詳細な説明】
【０００１】
【発明が属する技術分野】
本発明は、織機データの入力履歴を表示する方法に関する。
【０００２】
【従来の技術】
【特許文献１】特公平７−１２２２００号公報
特許文献１は、織機の停止履歴を時系列的に記憶させておき、後にその停止履歴を時間軸に降順あるいは昇順で表示している。
【０００３】
【発明が解決しようとする課題】
上記の技術では、例えば製織条件の設定ミスなどで織物に布欠点が入ったときに、欠点の原因を特定することができない。このように、従来は、織機データの入力履歴がなかったので、製織状況を把握することができなかった。
【０００４】
したがって、本発明の目的は、織機の情報表示装置の入力履歴を特定の事項、特に入力者、布ロール、停台原因に関連する情報により抽出できるようにすることである。
【０００５】
【課題を解決するための手段】
上記の目的のもとに、織機データの入力履歴表示方法は、入力装置（２）と、織機（９）に関するデータの入力履歴を記憶するメモリ（６）を備えメモリ（６）内の所定のデータを抽出する表示制御装置（３）と、表示制御装置（３）により抽出された所定のデータを表示する表示装置（４）とからなる織機の情報表示装置（１）において、入力者が入力装置（２）から入力者の情報の入力を行い、織機のデータの入力履歴と前記入力者の情報とを対にしてメモリ（６）に記憶させておき、その後に、特定の入力者の情報を指定することによって、特定の入力者に対応した入力履歴をメモリ（６）から抽出し、表示装置（４）により表示することを特徴とする。入力者の情報とは、織機分野における職種、入力者名、シフト番号を含み、入力者は、自己の入力者レベル以下の入力履歴を表示可能とすることもできる。
【０００６】
また、織機データの入力履歴表示方法は、入力装置（２）と、織機（９）に関するデータの入力履歴を記憶するメモリ（６）を備えメモリ（６）内の所定のデータを抽出する表示制御装置（３）と、表示制御装置（３）により抽出された所定のデータを表示する表示装置（４）とからなる織機の情報表示装置（１）において、入力者が入力装置（２）から布ロールの情報の入力を行い、織機のデータの入力履歴と前記布ロールの情報とを対にしてメモリ（６）に記憶させておき、その後に、切卸しされた布ロールを指定することによって、切卸しされた布ロールに対応した入力履歴をメモリ（６）から抽出し、表示装置（４）により表示することを特徴とする。切卸しされた布ロールに関連した情報とは、切卸しされた布ロールを特定できる情報であり、切卸し時刻、織上長を含む。
【０００７】
さらに、織機データの入力履歴表示方法は、入力装置（２）と、織機（９）に関する織機データの入力履を記憶するメモリ（６）を備えメモリ（６）内の所定のデータを抽出する表示制御装置（３）と、表示制御装置（３）により抽出された所定のデータを表示する表示装置（４）とからなる織機の情報表示装置（１）において、織機（９）の製織中に停台原因の情報と織機データの入力履とを対にしてメモリ（６）に記憶させ、その後に、停台原因を指定することによって、指定された停台原因に対応した入力履歴をメモリ（６）から抽出し、表示装置（４）により指定された以前の複数の入力履歴を表示することを特徴とする。なお、入力履歴の表示数は、設定変更可能である。
【０００８】
ちなみに、抽出した入力履歴は、個別表示されるか、または複数の抽出条件の入力履歴は、一覧表示とされる。また、入力者の情報をメモリに記憶される場合に、入力者が入力装置から入力者の情報の入力を行い、それ以後、織機データの入力履歴を前記入力者の情報と対してメモリに記憶させてもよく、また、織機データを入力する度に入力者の情報の入力を入力することで、織機データの入力履歴を前記入力者の情報と対してメモリに記憶させてもよい。布ロールに関連した情報や停台原因の情報をメモリに記憶される場合も同様である。
【０００９】
【発明の実施の形態】
図１は、本発明の方法を実現するための織機の情報表示装置１を示している。織機の情報表示装置１は、１台または２台以上の織機９に対応して入力装置２、表示制御装置３および表示装置４からなる。
【００１０】
入力装置２は、入力者の情報、切卸しされた布ロールに関連した情報および停台原因の情報の入力などを行うために、ユーザの認証カード５もしくはユーザ固有のパスワードの入力用カードリーダ、データ入力用キーボード、またはそれらの組み合わせ装置からなる。なお、この例で、表示装置４は、タッチパネル方式となっており、そのタッチパネル表示面（パネル部）は、入力装置２の一部を構成している。
【００１１】
表示制御装置３は、対応の織機９および入力装置２、表示装置４に接続されており、各種の入力履歴を記憶するメモリ６、メモリ６から指定された条件によって入力履歴を抽出する入力履歴条件抽出器７、入力履歴の記憶・読み出し、入力履歴の抽出、停台原因の記憶などの動作を処理するＣＰＵ８からなる。メモリ６は、各種の入力履歴、すなわち織機９に関する各種のデータの入力履歴を入力者の情報、布ロールに関連した情報、停台原因の情報とともにを記憶する。ここで入力者の情報、布ロールに関連した情報、停台原因の情報は、入力履歴には含まれない別のデータである。また、入力者の情報とは、製織分野における職種、入力者名、シフト（交替）番号を含む。シフト（交替）番号とは、交代制の勤務時間帯を示す番号であり、例えば１日３交代制であれば、それぞれのシフト番号は１、２、３となる。
【００１２】
表示装置４は、表示制御装置３により抽出された入力履歴の情報を受け、対応の織機９に関する特定の事項をＣＲＴや液晶のデイスプレイ（パネル部）によって表示する。入力履歴の表示形式は、入力履歴毎に個別表示または一覧表示とされる。
【００１３】
ここで入力者、製織分野、言い換えると製織工場内に携わる人の職種レベルとして、例えばＭａｎａｇｅｒ（管理者）、Ｓｕｐｅｒｖｉｓｏｒ（監督者）、Ｆｉｘｅｒ（係全者）、Ｄｏｆｆｅｒ（切卸し者）、Ｗｅａｖｅｒ（職工）が入力装置２から入力者の情報として認証カード５または固有のパスワードの入力を行うと、ＣＰＵ８は、この時点以降から新たな入力者の情報（パスワード）を入力するまでの期間に、入力者の情報と織機９のデータの入力履歴とを対にしてメモリ６に記憶させる。
【００１４】
図２は、メモリ６で内部での入力履歴の格納例を示す。この例で、入力履歴の対象となる記録事項は、停台原因、切卸し時刻、織上長、織長のカウント値（製織時の織上長を随時カウントした値）、シフト番号、シフト開始時間（予め設定されたシフト切替スケジュールに基づき、そのシフトが始まった時刻）、職種（レベル）、入力者名、入力した時間、データ名、入力値などであり、これらの記録事項に対応する事項や、数値として記憶されていく。入力履歴は、前記のように、入力者の情報（図２ではシフト番号、職種（レベル）、入力者名）と対にしてメモリ６に記録される。ここで切卸し時刻と織上長は、切卸しした時にその時の切卸し時刻と織上長を記憶する。よって、現時点で切卸下しを行っていない場合は空欄となっている。切卸下し時刻ではなく、布ロールに番号付けし、布ロールの番号から入力履歴を抽出してもよい。また停台原因の情報は、停台原因の発生後、その発生直前の予め設定された数だけ入力履歴と対にして記憶する。
【００１５】
図３は、全入力履歴画面の例である。全入力履歴画面では時間順にすべての入力履歴が表示される。画面の左側のアイコンは、各種のフアンクションキーであり、下側の「Ｃｌｅａｒ」、「┓」・「┏」、「Ｃｌｏｓｅ」は、それぞれ入力履歴を消去するためのキー、入力履歴を順・逆送りするためのキー、入力履歴の画面を閉じるためのキーである。画面には、その他の必要な事項が表示されている。
【００１６】
特定の入力者が入力装置２を利用して入力者の情報またはパスワードを入力した後、図３の全入力履歴画面上のプルダウンメニューで自己の職種レベル例えば上から２番目の「Ｍａｎａｇｅｒ」を指定すると、ＣＰＵ８は、入力履歴の抽出のためにプログラムを実行し、特定の入力者（「Ｍａｎａｇｅｒ」）に対応する入力履歴のみをメモリ６から抽出し、表示装置４により表示する。これにより、特定の入力者（「Ｍａｎａｇｅｒ」）は、自己に関連する入力履歴を確認でき、その入力履歴の状況から織機９の稼働状態などを把握できることになる。なお、各職種レベルの者は、同一職種レベルおよび下位の職種レベルの入力履歴を表示させ、確認できるが、上位の職種レベルの入力履歴を表示させ、確認できないようにすることもできる。
【００１７】
また、図４は、布選択画面を示しており、その布選択画面では、今までに切卸しを行った切卸し布ロールに関して、切卸し時刻、そのときの織上げ長の一覧が表示される。入力者が入力装置２により図３の全入力履歴画面上のプルダウンメニューで切卸し布ロール「Ｃｌｏｔｈ」を指定すると、ＣＰＵ８は、まず図４の布選択画面を表示する。そこで、入力者が入力装置２を操作して該当する切卸し布ロールの欄の「表示」をおすと、ＣＰＵ８は、入力履歴の抽出のためにプログラムを実行し、選択された布ロールに対応した入力履歴をメモリ６から抽出し、選択された布ロールに対応した切卸し時刻、織上長または織上長に対応するカウント値を表示装置４により表示される。複数の布ロールに対応した入力履歴を一覧表示してもよい。また、上記と同様にシフト番号に対して入力履歴を抽出してもよい。この場合は、図４と同様にシフト番号とそのシフト開始時刻を一覧表示して、特定のシフト番号を選択すると、そのシフト番号に対応した入力履歴が抽出され、これが表示装置４により表示される。後述する停台原因の情報の場合も同様である。
【００１８】
さらに、織機９の製織中、停台原因の発生時に、停台原因の情報が図２に例示するようにメモリ６に記憶される。従って、その後に、入力者が入力装置２により停台原因、主として経止まり、緯止まりなどを指定すると、ＣＰＵ８は、指定された停台原因に対応した入力履歴をメモリ６から抽出し、表示装置４により指定された以前の複数の停台原因の入力履歴を表示する。なお、入力履歴の表示数は、設定変更可能である。これによって入力者は、製織条件の変更と停台原因（経止まり、緯止まり）との因果関係を推測でき、この推測結果から停台原因の予防に適切な対応ができることになる。この場合も停台原因毎に入力履歴を個別または一覧表示される。
【００１９】
なお、図５は、停台原因を現在時刻と共に記憶するフローチャートを示す。停台原因および現在時刻の記憶は、製織中にＣＰＵ８によりプログラムを実行される。このプログラムの実行のために、織機９は、稼働中に停台原因を検出しており、停台原因の発生時に、その停台原因に固有の信号を表示制御装置３に送り込んでいる。
【００２０】
まず最初のステップで、情報の入力があったか？の判断が行われ、Ｙ（ｙｅｓ）のとき、次のステップで、メモリ６に入力履歴と現在時刻とを記憶させるが、Ｎ（ｎｏ）のときに、次のステップに移る。次のステップで、織機が停台したか？の判断が行われ、Ｎであれば、最初のステップに戻るが、Ｙのときに、停台原因を特定するために、原因は「経止まり」？の判断ステップ、この判断ステップで、Ｎのとき、原因は「緯止まり」？の判断ステップ、さらにこの判断ステップで、Ｎのときその他の停台原因について順次判断される。なお、その他の停台原因についての分岐は、この図２では省略されている。
【００２１】
原因は「経止まり」？の判断ステップで、Ｙのときに、プログラムは、停台原因を「経止まり」として、現在時刻と共にメモリ６に記憶させる。また、原因は「緯止まり」？の判断ステップで、Ｙのときに、プログラムは、停台原因を「経止まり」として、現在時刻と共にメモリ６に記憶させる。
【００２２】
図６は、図５による入力履歴の記憶を行った場合の停台原因に関連する入力履歴を表示するフローチャートである。入力者が停台原因を入力装置２または表示装置４の画面上で選択すると、ＣＰＵ８は選択された停台原因に対応した入力履歴を予め設定された数だけメモリ６から抽出し、表示装置４により選択された以前の設定数の停台原因の入力履歴を一覧表示する。
【００２３】
図７は、選択された停台原因の発生時刻以前の４つの停台原因（入力５〜８）の入力履歴を抽出する際のメモリ６の内部構造を示したものである。なお、メモリ６の内部には、停台原因の入力１〜１１が記録されている。この場合、停台原因と入力履歴は別々にメモリ６に記憶される。
【００２４】
また、図８は、停台原因のみを記憶するフローチャートを示す。停台原因記憶は、製織中にＣＰＵ８によりプログラムを実行される。このプログラムの実行のために、織機９は、稼働中に停台原因を検出しており、停台原因の発生時に、その停台原因に固有の信号を表示制御装置３に送り込んでいる。
【００２５】
まず、最初のステップで、情報の入力があったか？の判断が行われ、Ｙ（ｙｅｓ）のとき、次のステップで、メモリ６に入力履歴を記憶させるが、Ｎ（ｎｏ）のときに、次のステップに移る。次のステップで、織機が停台したか？の判断が行われ、Ｎであれば、最初のステップに戻るが、Ｙのときに、停台原因を特定するために、原因は「経止まり」？の判断ステップ、この判断ステップで、Ｎのとき、原因は「緯止まり」？の判断ステップ、さらにこの判断ステップで、Ｎのときその他の停台原因について順次判断される。なお、その他の停台原因についての分岐は、この図８では省略されている。
【００２６】
原因は「経止まり」？の判断ステップで、Ｙのときに、プログラムは、停台原因を「経止まり」として、メモリ６に記憶させる。また、原因は「緯止まり」？の判断ステップで、Ｙのときに、プログラムは、停台原因を「経止まり」としてメモリ６に記憶させる。
【００２７】
図９は、図８による入力履歴の記憶を行った場合の停台原因に関連する入力履歴を表示するフローチャートである。入力者が停台原因を入力装置２または表示装置４の画面上で選択すると、ＣＰＵ８は選択された停台原因に対応した入力履歴を予め設定された数だけメモリ６から抽出し、表示装置４により選択された以前の設定数の停台原因の入力履歴を一覧表示する。
【００２８】
図１０は、選択された停台原因の発生時刻以前の３つの停台原因（入力２３〜２５）の入力履歴を抽出する際のメモリ６の内部構造を示したものである。なおメモリ６の内部には、停台原因の入力１〜２８が記録されている。この場合、停台原因は入力履歴のメモリに記憶されるため、時刻を記憶しなくても入力履歴から停台原因に対する入力履歴を抽出できる。
【００２９】
【発明の効果】
請求項１の織機データの入力履歴表示方法によれば、入力装置と、織機に関するデータの入力履歴を記憶するメモリを備えメモリ内の所定のデータを抽出する表示制御装置と、表示制御装置により抽出された所定のデータを表示する表示装置とからなる織機の情報表示装置において、入力者が入力装置から入力者の情報の入力を行い、織機のデータの入力履歴と前記入力者の情報とを対にしてメモリに記憶され、その後に、特定の入力者の情報を指定することによって、特定の入力者に対応した入力履歴をメモリから抽出し、表示装置により表示するから、入力者ごとに入力履歴が確認でき、また管理者などが他の保全者などの入力者入力状況を把握でき、さらにシフトを指定して見ることで、シフト（交替担当者）と稼働率との関連を把握することもできる。このように、特定の入力者という条件で入力履歴が抽出されるから、織機の異常原因が容易に、かつ時間をかけずに行える。
【００３０】
請求項２の織機データの入力履歴表示方法によれば、入力装置と、織機に関するデータの入力履歴を記憶するメモリを備えメモリ内の所定のデータを抽出する表示制御装置と、表示制御装置により抽出された所定のデータを表示する表示装置とからなる織機の情報表示装置において、入力者が入力装置から布ロールの情報の入力を行い、織機のデータの入力履歴と前記布ロールの情報とを対にしてメモリに記憶され、その後に、切卸しされた布ロールを指定することによって、切卸しされた布ロールに対応した入力履歴をメモリから抽出し、表示装置により表示するから、ある織物で布欠点が現れたときは、その織物が製織されていた最中の履歴を抽出できるので、布欠点の原因の発見が容易となる。このように、布ロールという条件で入力履歴が抽出されるから、布ロールの異常原因が容易に、かつ時間をかけずに行える。
【００３１】
請求項３の織機データの入力履歴表示方法によれば、入力装置と、織機に関する織機のデータの入力履歴を記憶するメモリを備えメモリ内の所定のデータを抽出する表示制御装置と、表示制御装置により抽出された所定のデータを表示する表示装置とからなる織機の情報表示装置において、織機の製織中に停台原因の情報と織機のデータの入力履歴とを対にしてメモリに記憶され、その後に、停台原因を指定することによって、指定された停台原因に対応した入力履歴をメモリから抽出し、表示装置により指定された以前の入力履歴を表示するから、停止原因の直前に何が入力されていたかが分かるため、停台原因が発見しやすくなる。このように、停台原因という条件で入力履歴が抽出されるから、停台原因が容易にかつ時間をかけずに行える。
【００３２】
請求項４の織機データの入力履歴表示方法によれば、入力者の情報に、職種、入力者名、シフト番号が含まれる。このため、職種、入力者名、シフト番号毎に織機データの入力履歴が表示できるから、個々の管理が容易となる。
【００３３】
請求項５の織機データの入力履歴表示方法によれば、切卸しされた布ロールに関連した情報として、切卸し時刻、織上長（カウント値も含む）が表示されるから、布ロールの実際の品質管理も容易となる。
【００３４】
請求項６の織機データの入力履歴表示方法によれば、入力履歴の表示数が設定変更可能であるから、過去のデータの参照から今後の製織条件の設定に活用できる。
【００３５】
請求項７、８の織機データの入力履歴表示方法によれば、表示画面上で抽出した入力履歴が個別表示または一覧表示とされるから、個別表示であれば、特定のものの入力履歴の確認が容易であり、また、一覧表示であれば、複数の入力履歴の確認が容易である。
【００３６】
請求項９の織機データの入力履歴表示方法によれば、自己の入力者レベル以下の入力履歴が表示可能であるから、自己の入力者レベル以下の入力履歴から、階級レベル毎の生産管理が可能となる。
【図面の簡単な説明】
【図１】織機の情報表示装置のブロック線図である。
【図２】入力履歴の格納例の表である。
【図３】全入力履歴画面の説明図である。
【図４】布選択画面の説明図である。
【図５】停台原因を現在時刻とともに記憶するときのフローチャート図である。
【図６】図５に対する停台原因に関連する入力履歴を表示するときのフローチャート図である。
【図７】停台原因の入力履歴を抽出する際のメモリの内部構造の説明図である。
【図８】停台原因を入力履歴のメモリに記憶するときのフローチャート図である。
【図９】図８に対する停台原因に関連する入力履歴を表示するときのフローチャート図である。
【図１０】停台原因の入力履歴を抽出する際のメモリの内部構造の説明図である。
【符号の説明】
１  織機の情報表示装置
２  入力装置
３  表示制御装置
４  表示装置
５  認証カード
６  メモリ
７  入力履歴条件抽出器
８  ＣＰＵ
９  織機
【図１】
2004339626.tif 000003
【図２】
2004339626.tif 000004
【図３】
2004339626.tif 000005
【図４】
2004339626.tif 000006
【図５】
2004339626.tif 000007
【図６】
2004339626.tif 000008
【図７】
2004339626.tif 000009
【図８】
2004339626.tif 000010
【図９】
2004339626.tif 000011
【図１０】
2004339626.tif 000012